(57)【要約】  多様かつユーザにとって扱いやすい操作パターンを登録し、当該操作パターンの入力に応じて、それに対応する機能を起動する携帯端末装置を提供する。  携帯端末装置は、複数のセグメント領域のうち、一のセグメント領域が少なくとも三以上の方向に対してそれぞれ異なる他のセグメント領域と隣接するタッチパネルと、タッチパネルが有するセグメント領域のうち、隣接する複数のセグメント領域からなる登録パターンに、自機が有する機能のいずれかを対応付けて記憶するパターン記憶部と、ユーザが連続的に接触した複数のセグメント領域を入力パターンとして認識するパターン認識部と、認識された入力パターンと、記憶されている登録パターンと、を比較して一致しているとき、当該登録パターンに対応付けられている機能を起動する機能起動部と、を備える。
2010134269.tif 000002
【特許請求の範囲】
【請求項１】
複数のセグメント領域のうち、一のセグメント領域が少なくとも三以上の方向に対してそれぞれ異なる他のセグメント領域と隣接するタッチパネルと、
前記タッチパネルが有する前記セグメント領域のうち、隣接する複数の前記セグメント領域からなる登録パターンに、自機が有する機能のいずれかを対応付けて記憶するパターン記憶手段と、
ユーザが連続的に接触した複数の前記セグメント領域を入力パターンとして認識するパターン認識手段と、
前記パターン認識手段により認識された前記入力パターンと、前記パターン記憶手段に記憶されている前記登録パターンと、を比較して一致しているとき、当該登録パターンに対応付けられている前記機能を起動する機能起動手段と、
を備える携帯端末装置。
【請求項２】
請求項１に記載の携帯端末装置において、
前記タッチパネルが有する前記セグメント領域の一部または全部が、少なくとも三以上の方向に対してそれぞれ異なる他のセグメント領域と隣接することを特徴とする携帯端末装置。
【請求項３】
請求項１または２に記載の携帯端末装置において、
前記自機が有する前記機能のいずれかの起動を抑制するセキュリティロックを設定するセキュリティロック設定手段を備え、
前記パターン記憶手段は、前記セキュリティロック設定手段により前記セキュリティロックを設定された前記機能を、前記登録パターンに対応付けて記憶し、
前記機能起動手段は、前記登録パターンに対応付けられている前記機能に設定されている前記セキュリティロックを解除し、当該機能を起動することを特徴とする携帯端末装置。
【請求項４】
請求項１乃至３いずれかに記載の携帯端末装置において、
前記パターン記憶手段は、前記登録パターンを構成する前記セグメント領域の少なくとも一つの順序を指定する順序指定情報を、当該登録パターンに対応付けて記憶し、
前記パターン認識手段は、前記入力パターンを認識し、当該入力パターンを構成する前記セグメント領域を認識した順序を示す認識順序情報を生成し、
前記機能起動手段は、前記入力パターンと比較して一致する前記登録パターンに対応付けられた前記順序指定情報によって指定される前記セグメント領域の順序と、前記パターン認識手段により生成された前記認識順序情報が示す当該セグメント領域の順序と、を比較して一致するとき、当該登録パターンに対応付けられている前記機能を起動することを特徴とする携帯端末装置。
【請求項５】
請求項１乃至４いずれかに記載の携帯端末装置において、
前記機能起動手段が前記パターン認識手段により認識された前記入力パターンと、前記パターン記憶手段に記憶されている前記登録パターンと、を比較して一致しないとき、前記自機が有する前記機能のいずれかを前記ユーザの操作入力に応じて選択する機能選択手段を備え、
前記パターン記憶手段は、前記機能選択手段により選択された前記機能に、当該入力パターンを前記登録パターンとして対応付けて記憶することを特徴とする携帯端末装置。
【請求項６】
請求項１乃至５いずれかに記載の携帯端末装置において、
前記パターン記憶手段は、前記入力パターンを受け付ける条件を示す入力条件情報を、前記登録パターンに対応付けて記憶し、
前記パターン認識手段は、前記自機が前記入力条件情報によって示される条件を満たすとき、前記入力パターンを認識することを特徴とする携帯端末装置。
【請求項７】
複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶ステップと、
ユーザが連続的に接触した複数の前記セグメント領域を入力パターンとして認識するパターン認識ステップと、
前記パターン認識ステップで認識された前記入力パターンと、前記パターン記憶ステップで記憶された前記登録パターンと、を比較して一致しているとき、当該登録パターンに対応付けられている前記機能を起動する機能起動ステップと、
を備える携帯端末装置の制御方法。
【請求項８】
コンピュータに読み出されるプログラムが格納された記憶媒体であって、
前記プログラムは、
複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶処理と、
ユーザが連続的に接触した複数の前記セグメント領域を入力パターンとして認識するパターン認識処理と、
前記パターン認識処理で認識された前記入力パターンと、前記パターン記憶処理で記憶された前記登録パターンと、を比較して一致しているとき、当該登録パターンに対応付けられている前記機能を起動する機能起動処理と、
を前記コンピュータに実行させることを特徴とする記憶媒体。
【発明の詳細な説明】
【技術分野】
【０００１】
本発明は、携帯端末装置、携帯端末装置の制御方法および記憶媒体に関する。
【背景技術】
【０００２】
近年、携帯電話機やモバイルＰＣ等に代表される携帯端末装置が一般家庭に広く普及し、高齢者や幼年者が携帯端末装置を保有することも珍しくない。これ伴って、ユーザにとって操作しやすい携帯端末装置（ユニバーサルデザイン化）に関する技術が種々考案されている。【０００３】
この種の技術として、特許文献１（特開２００８−９０６８０号公報）には次のような携帯端末装置が記載されている。この携帯端末装置は、円形タッチパッド上における周回転方向の操作入力を検知し、その周回転方向と回転数とに応じて対応する機能を起動することができる。【０００４】
また、この種の技術として、特許文献２（特開２００７−７４７１６号公報）には次のような携帯端末装置が記載されている。この携帯端末装置は、タッチパッドへの入力に応じて対応する機能を実行し、当該タッチパネルが操作できない状態、例えば筐体が閉じている場合や通話中には当該タッチパネルを非アクティブ化することができる。
【先行技術文献】
【特許文献】
【０００５】
【特許文献１】特開２００８−９０６８０号公報
【特許文献２】特開２００７−７４７１６号公報
【発明の概要】
【発明が解決しようとする課題】
【０００６】
しかしながら上記技術は、以下の点で改善の余地を有していた。特許文献１の携帯端末装置は、自機の有する機能が少ない場合は効果的だが、自機の有する機能が多くなるほど多くの回転数が必要となり、操作に係る負担が増大した。また、どの機能がどの操作（回転数、回転方向）に対応するのかユーザが記憶しにくかった。さらに、同じタッチパネル上を何度もなぞるため、ユーザが何回転なぞったのか誤認することがあった。【０００７】
本発明は上記事情に鑑みてなされたものであり、その目的とするところは、多様かつユーザにとって扱いやすい操作パターンを登録し、当該操作パターンの入力に応じて、それに対応する機能を起動する携帯端末装置、携帯端末装置の制御方法および記憶媒体を提供することにある。
【課題を解決するための手段】
【０００８】
本発明によれば、複数のセグメント領域のうち、一のセグメント領域が少なくとも三以上の方向に対してそれぞれ異なる他のセグメント領域と隣接するタッチパネルと、前記タッチパネルが有する前記セグメント領域のうち、隣接する複数の前記セグメント領域からなる登録パターンに、自機が有する機能のいずれかを対応付けて記憶するパターン記憶手段と、ユーザが連続的に接触した複数の前記セグメント領域を入力パターンとして認識するパターン認識手段と、前記パターン認識手段により認識された前記入力パターンと、前記パターン記憶手段に記憶されている前記登録パターンと、を比較して一致しているとき、当該登録パターンに対応付けられている前記機能を起動する機能起動手段と、を備える携帯端末装置が提供される。【０００９】
また、本発明によれば、複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶ステップと、ユーザが連続的に接触した複数の前記セグメント領域を入力パターンとして認識するパターン認識ステップと、前記パターン認識ステップで認識された前記入力パターンと、前記パターン記憶ステップで記憶された前記登録パターンと、を比較して一致しているとき、当該登録パターンに対応付けられている前記機能を起動する機能起動ステップと、を備える携帯端末装置の制御方法が提供される。【００１０】
さらに、本発明によれば、  コンピュータに読み出されるプログラムが格納された記憶媒体であって、前記プログラムは、複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶処理と、ユーザが連続的に接触した複数の前記セグメント領域を入力パターンとして認識するパターン認識処理と、前記パターン認識処理で認識された前記入力パターンと、前記パターン記憶処理で記憶された前記登録パターンと、を比較して一致しているとき、当該登録パターンに対応付けられている前記機能を起動する機能起動処理と、を前記コンピュータに実行させることを特徴とする記憶媒体が提供される。
【発明の効果】
【００１１】
上記発明によれば、タッチパネル上で隣接する複数のセグメント領域を登録パターンとして登録するため、ユーザが何度も同じセグメント領域を接触する必要がなく、ユーザは接触したセグメント領域を視認しやすく誤入力防止の効果も期待できる。また、ユーザはタッチパネル上の動作（ジェスチャー）として登録パターンを記憶することができ、多種類の登録パターンであっても記憶しやすい。さらに、上記発明における登録パターンは、三以上の方向に対してそれぞれ異なる他のセグメント領域と隣接するセグメント領域と、当該セグメント領域に隣接するセグメント領域とを含むことができる。このような登録パターンは、その一部または全部のセグメント領域が、ユーザのジェスチャーの分岐点となる。よって、より複雑かつ多種の登録パターンを登録することができる。【００１２】
本発明によれば、多様かつユーザにとって扱いやすい操作パターンを登録し、当該操作パターンの入力に応じて、それに対応する機能を起動する携帯端末装置、携帯端末装置の制御方法および記憶媒体が提供される。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本発明の実施の形態に係る携帯端末装置を示す構成図である。
【図２】本発明の実施の形態に係る携帯端末装置が備えるタッチパネルの例を示す図である。
【図３】本発明の第１の実施形態に係る携帯端末装置における機能ブロック図である。
【図４】本発明の第１の実施形態に係る携帯端末装置に記憶される登録パターンとそれに対応づけられる機能とを示す図である。
【図５】本発明の第１の実施形態に係る携帯端末装置に記憶される登録パターンを構成するセグメント領域を示す図である。
【図６】本発明の第１の実施形態に係る携帯端末装置の制御方法を示すフローチャートである。
【図７】本発明の第２の実施形態に係る携帯端末装置における機能ブロック図である。
【図８】本発明の第２の実施形態に係る携帯端末装置に記憶される登録パターンと機能と入力条件情報と順序指定情報との例を示す図である。
【図９】本発明の第２の実施形態に係る携帯端末装置の制御方法を示すフローチャートである。
【発明を実施するための形態】
【００１５】
以下、本発明の実施の形態について、図面を用いて説明する。尚、すべての図面において、同様な構成要素には同様の符号を付し、適宜説明を省略する。
【００１６】
〔第１の実施形態〕
図１は、本発明の実施の形態に係る携帯端末装置を示す構成図である。本実施形態の携帯端末装置１００は、ＣＰＵ（中央処理装置）１０を搭載しており、ＣＰＵ１０はバス２５を介して各構成要素と接続し、種々のデータやプログラム等を授受することができる。また、ＣＰＵ１０は受け付けたプログラムを実行することによって、種々の機能を実現することができる。
【００１７】
このうちＲＯＭ１１は、ＣＰＵ１０が実行するための各種の制御用プログラム等の固定的なデータを格納したリード・オンリ・メモリである。
【００１８】
作業用メモリ１２はＲＡＭ（ランダム・アクセス・メモリ）によって構成されており、ＣＰＵ１０がプログラムを実行する上で一時的に必要とされるデータを格納する。
【００１９】
フラッシュメモリ１３は、電話帳機能によって登録されている個人名（法人名）、電話番号、メールアドレス等の書き換え可能なデータが格納されている。
【００２０】
音声出力部１５は、ＣＰＵ１０で処理されたデジタル信号をスピーカ１４から音声出力可能なアナログ信号に変換する回路である。
【００２１】
音声入力部１７は、マイク１６から取得したアナログ信号をＣＰＵ１０で処理可能なデジタル信号に変換する回路である。
【００２２】
操作入力部１８は、タッチパネル１９やキーパネル２０が受け付けたユーザの操作入力をＣＰＵ１０が処理可能なデジタル信号に変換する回路である。
【００２３】
タッチパネル１９は、複数のセグメント領域を有しており、それぞれのセグメント領域はユーザの接触を検知する。そして、タッチパネル１９は、複数のセグメント領域のうち、一のセグメント領域が少なくとも三以上の方向に対してそれぞれ異なる他のセグメント領域と隣接している。また、タッチパネル１９は、ユーザの接触を検知したセグメント領域の位置や、その位置の移動に応じてユーザの操作入力を受け付ける。
【００２４】
なお、タッチパネル１９の検知方式は、静電容量方式であってもよいし、感圧方式であってもよい。また、タッチパネル１９の検知方式に応じて、タッチパネル１９はユーザの手の指による接触を検知可能でもよいし、タッチペン等の専用ツールによる接触を検知可能でもよい。
【００２５】
キーパネル２０は、複数のキーを有しており、ユーザが押下したキーを検知することができる。そして、キーパネル２０はユーザが押下したキーの種類や組み合わせに応じてユーザの操作入力を受け付ける。
【００２６】
表示制御部２１は、ＣＰＵ１０との間で授受するデータ等に基づいて表示部２２を制御する制御回路である。表示部２２は、白黒あるいはカラーの液晶パネルあるいは有機ＥＬ（電子蛍光）等の表示装置である。
【００２７】
通信部２３は、ＣＰＵ１０で処理されたデータ等を、アンテナ２４を介して外部に送信可能な無線信号に変換する回路であり、また外部から受信した無線信号をＣＰＵ１０で処理可能なデータ等に変換する回路である。
【００２８】
図２は、携帯端末装置１００が備えるタッチパネル１９の例を示す図である。なお、図２においては、セグメント領域の外郭を実線で図示しているが、これはタッチパネル１９が認識可能であればよく、ユーザが視認可能であっても、視認不可能であってもよい。
【００２９】
タッチパネル１９が備えている複数のセグメント領域は、少なくとも三以上の方向に対してそれぞれ異なる他のセグメント領域と隣接するセグメント領域を少なくとも一つ含んでいる。ここで、隣接しているとは、互いのセグメント領域の外郭の一部または全部が線で接していることを意味しており、点で接するセグメント領域は除かれる。
【００３０】
例えば、図２（Ａ）に示すタッチパネル１９は、４つの三角形のセグメント領域Ａ１〜Ａ４によって構成され、網掛けされているセグメント領域Ａ２が３つの方向に対して他のセグメント領域Ａ１、Ａ３、Ａ４と隣接している。また、図２（Ｂ）に示すタッチパネル１９は、９つの四角形のセグメント領域Ｂ１〜Ｂ９によって構成され、網掛けされている５つのセグメント領域Ｂ２、Ｂ４、Ｂ５、Ｂ６、Ｂ８が３〜４の方向に対して他のセグメント領域と隣接している。さらに、図２（Ｃ）は、２２個のセグメント領域によって構成され、全部のセグメント領域が３〜６の方向に対して他のセグメント領域と隣接している。
【００３１】
図３は、第１の実施形態に係る携帯端末装置１００における機能ブロック図である。本実施形態の携帯端末装置１００は、パターン記憶部１０６と、パターン認識部１０１と、機能起動部１０２と、ファイル管理部１０３と、メール作成部１０４と、電話帳管理部１０５と、を備えている。
【００３２】
なお、パターン記憶部１０６は、図１のＣＰＵ１０の処理によって上記登録パターンを記憶させた、図１のフラッシュメモリ１３に含まれる記憶領域である。そして、パターン認識部１０１、機能起動部１０２、ファイル管理部１０３、メール作成部１０４および電話帳管理部１０５は、図１に示すＣＰＵ１０がＲＯＭ１１に格納されているプログラムを読み出して実行することにより実現されるソフトウェア機能である。
【００３３】
パターン記憶部１０６は、タッチパネル１９が有するセグメント領域のうち、隣接する複数のセグメント領域からなる登録パターンに、自機（携帯端末装置１００）が有する機能のいずれかを対応付けて記憶する。
【００３４】
図４は、第１の実施形態に係る携帯端末装置１００（パターン記憶部１０６）に記憶される登録パターンとそれに対応付けられる機能とを示す図である。なお、ここで示される登録パターンは、図２（Ａ）のタッチパネル１９を例としたものである。
【００３５】
例えば、図２（Ａ）のタッチパネル１９におけるＡ１、Ａ２およびＡ４からなるＮｏ．１の登録パターンには、フォルダＦ（図示せず）を開示する機能が対応付けられている。図２（Ａ）のタッチパネル１９におけるＡ１、Ａ２およびＡ３からなるＮｏ．２の登録パターンには、「obaba@obaba.ne.jp」が宛先に入った状態で新規メールを作成する機能が対応付けられている。図２（Ａ）のタッチパネル１９におけるＡ２、Ａ３およびＡ４からなるＮｏ．３の登録パターンには、図１のスピーカ１４の出力音量を下げることを示す機能が対応付けられている。
【００３６】
図５は、図２（Ｂ）に示すタッチパネル１９における登録パターンを構成するセグメント領域を示す図である。なお、図５において網掛けされているセグメント領域が、登録パターンを構成するセグメント領域である。これらのタッチパネル１９において、複数のセグメント領域Ｂ２、Ｂ４、Ｂ５、Ｂ６、Ｂ８が少なくとも三以上の方向に対してそれぞれ異なる他のセグメント領域と隣接している。そして、セグメント領域Ｂ２、Ｂ４、Ｂ５、Ｂ６、Ｂ８のうち少なくとも２つを含む登録パターンを生成して、パターン記憶部１０６に記憶することにより、上記網掛けされているセグメント領域がそれぞれ分岐点として働き、より多種の登録パターンを登録することができる。例えば、図５（Ａ）と図５（Ｂ）とは、セグメント領域Ｂ５が分岐点となって異なる登録パターンとなっており、図５（Ｂ）と図５（Ｃ）とは、セグメント領域Ｂ６が分岐点となって異なる登録パターンとなっている。
【００３７】
パターン認識部１０１は、ユーザが連続的に接触した複数のセグメント領域を入力パターンとして認識する。ここで、連続的に接触したセグメント領域とは、パターン認識部１０１が入力パターンの入力開始を認識してから入力パターンの入力終了を認識するまでにユーザが接触したセグメント領域を意味している。
【００３８】
なお、パターン認識部１０１は、キーパネル２０に含まれる特定キーが押下された後、ユーザがタッチパネル１９に接触したとき、入力パターンの入力開始と認識してもよい。そして、パターン認識部１０１は、入力パターンの入力が開始した後に、ユーザのタッチパネル１９への接触が離れたとき、入力パターンの入力終了と認識してもよい。
【００３９】
機能起動部１０２は、パターン認識部１０１により認識された入力パターンと、パターン記憶部１０６に記憶されている登録パターンと、を比較して一致しているとき、当該登録パターンに対応付けられている機能を起動する。ここで、一致しているとは完全一致であってもよいし、入力パターンが登録パターンを全て含むことを一致としてもよいし、登録パターンと入力パターンとで多少の差を許容してもよい。
【００４０】
例えば、機能起動部１０２が、図４におけるＮｏ．１の登録パターンに対応する機能を起動する場合、携帯端末装置１００内に保管されているファイルの保管場所（フォルダ）を管理するファイル管理部１０３を起動する。そして、機能起動部１０２は、ファイル管理部１０３を制御してフォルダＦを検索させ、検索されたフォルダＦを開示させる。そして、ファイル管理部１０３は、開示したフォルダＦの開示内容を図１の表示制御部２１に伝送し、表示制御部２１は伝送されたフォルダＦの開示内容を図１の表示部２２に表示させる。
【００４１】
また、機能起動部１０２が、図４におけるＮｏ．２の登録パターンに対応する機能を起動する場合、メール作成部１０４と電話帳管理部１０５とを起動する。なお、メール作成部１０４は、操作入力部１８が受け付けたユーザの操作入力に基づいて電子メールを生成し、電子メールの作成画面を図１の表示制御部２１に伝送して表示部２２に表示させることができる。また、電話帳管理部１０５は、操作入力部１８が受け付けたユーザの操作入力に基づいて、個人名や法人名（団体名）に電話番号情報や電子メールアドレス情報等を対応付けて構成される電話帳情報を生成し、生成した電話帳情報をフラッシュメモリ１３等の記憶媒体に記憶させ、電話帳情報を表示制御部２１に伝送して表示部２２に表示させることができる。機能起動部１０２は、メール作成部１０４と電話帳管理部１０５とを起動した後、電話帳管理部１０５が管理する電話帳情報から「obaba@obaba.ne.jp」を検索させ、メール作成部１０４に新規の電子メールを生成させ、電話帳管理部１０５が検索した「obaba@obaba.ne.jp」を宛先欄に入力させ、その作成画面を表示制御部２１に伝送させて表示部２２に表示させる。
【００４２】
さらに、機能起動部１０２が、図４におけるＮｏ．３の登録パターンに対応する機能を起動する場合、機能起動部１０２は図１のスピーカ１４を制御し、出力音量を小さくする。
【００４３】
以上のように、本実施形態において登録パターンに対応する機能を起動するとは、携帯端末装置１００が備えるハードウェアで実現される構成要素またはソフトウェアで実現される構成要素の一方または双方を制御し、当該機能を実現することである。
【００４４】
本実施形態の場合、ＲＯＭ１１には、複数のセグメント領域のうち、一のセグメント領域が少なくとも三以上の方向に対してそれぞれ異なる他のセグメント領域と隣接するタッチパネル１９上で、隣接する複数のセグメント領域からなる登録パターンに、コンピュータが有する機能のいずれかを対応付けて記憶するパターン記憶処理をＣＰＵ１０に実行させるプログラムが格納されている。また、ＲＯＭ１１には、ユーザが連続的に接触した複数のセグメント領域を入力パターンとして認識するパターン認識処理をＣＰＵ１０に実行させるプログラムが格納されている。さらに、ＲＯＭ１１には、パターン認識処理で認識された入力パターンと、パターン記憶処理で記憶された登録パターンと、を比較して一致しているとき、当該登録パターンに対応付けられている機能を起動する機能起動処理をＣＰＵ１０に実行させるプログラムが格納されている。
【００４５】
図６は、第１の実施形態に係る携帯端末装置１００の制御方法を示すフローチャートである。本実施形態の制御方法は、複数のセグメント領域のうち、一のセグメント領域が少なくとも三以上の方向に対してそれぞれ異なる他のセグメント領域と隣接するタッチパネル１９上で、隣接する複数のセグメント領域からなる登録パターンに、自機（携帯端末装置１００）が有する機能のいずれかを対応付けて記憶するパターン記憶ステップ（ステップＳ１）を備える。
【００４６】
本実施形態の制御方法は、キーパネル２０に含まれる特定キーが押下された後（ステップＳ２のＹＥＳ）、ユーザが連続的に接触した複数のセグメント領域を入力パターンとして認識するパターン認識ステップ（ステップＳ３）を備える。ただし、キーパネル２０に含まれる特定キーが押下されていないとき（ステップＳ２のＮＯ）、上記特定キーが押下されるまで待機状態となる。
【００４７】
本実施形態の制御方法は、パターン認識ステップ（ステップＳ３）で認識された入力パターンと、パターン記憶ステップ（ステップＳ１）で記憶された登録パターンと、を比較して一致しているとき（ステップＳ４のＹＥＳ）、当該登録パターンに対応付けられている機能を起動する機能起動ステップ（ステップＳ５）を備える。ただし、パターン認識ステップ（ステップＳ３）で認識された入力パターンと、パターン記憶ステップ（ステップＳ１）で記憶された登録パターンと、を比較して一致していないとき（ステップＳ４のＮＯ）、再び上記特定キーが押下されるまで待機状態となる。
【００４８】
機能起動ステップ（ステップＳ５）で当該機能が起動されて、本実施形態の制御方法は終了となる。
【００４９】
ここで本実施形態の効果について説明する。タッチパネル１９上で隣接するセグメント領域を登録パターンとして登録するため、ユーザが何度も同じセグメント領域を接触する必要がなく、ユーザは接触したセグメント領域を視認しやすく誤入力防止の効果も期待できる。
【００５０】
さらに、本実施形態における登録パターンは、三以上の方向に対してそれぞれ異なる他のセグメント領域と隣接するセグメント領域と、当該セグメント領域に隣接するセグメント領域とを含むことができる。このような登録パターンは、その一部または全部のセグメント領域が、ユーザのジェスチャーの分岐点となる。よって、より複雑かつ多種の登録パターンを登録することができる。
【００５１】
さらに、本実施形態のタッチパネルが有するセグメント領域の一部または全部が、少なくとも三以上の方向に対してそれぞれ異なる他のセグメント領域と隣接しており、複雑な形状の登録パターン、例えば文字や記号等を模した登録パターンとすることができる。これにより、ユーザは多種類の登録パターンであっても記憶しやすい。
【００５２】
仮に、携帯端末装置が文字や記号等を模した入力パターンを受け付けても、それを文字として認識する処理は行わないので、手書き入力された文字情報に基づいて機能を起動する装置と比して処理負荷が小さい。
【００５３】
〔第２の実施形態〕
第２の実施形態の携帯端末装置１００の構成は、第１の実施形態と同様に図１によって示される。
【００５４】
図７は、第２の実施形態に係る携帯端末装置１００における機能ブロック図である。第１の実施形態の携帯端末装置１００と比べて通話部１０７と、セキュリティロック設定部１０８と、機能選択部１０９と、が追加されている。
【００５５】
なお、通話部１０７、セキュリティロック設定部１０８および機能選択部１０９は、図１に示すＣＰＵ１０がＲＯＭ１１に格納されているプログラムを読み出して実行することにより実現されるソフトウェア機能である。
【００５６】
通話部１０７は、図１の通信部２３とアンテナ部２４とを介して他の電話機（図示せず）と通話接続することができる。
【００５７】
機能選択部１０９は、機能起動部１０２がパターン認識部１０１により認識された入力パターンと、パターン記憶部１０６に記憶されている登録パターンと、を比較して一致しないとき、自機が有する機能のいずれかをユーザの操作入力に応じて選択する。そして、本実施形態のパターン記憶部１０６は、機能選択部１０９により選択された機能に、当該入力パターンを登録パターンとして対応付けて記憶する。
【００５８】
さらに、本実施形態のパターン記憶部１０６は、登録パターンを構成するセグメント領域の少なくとも一つの順序を指定する順序指定情報も、当該登録パターンに対応付けて記憶する。さらに、本実施形態のパターン記憶部１０６は、入力パターンを受け付ける条件を示す入力条件情報を、登録パターンに対応付けて記憶する。
【００５９】
セキュリティロック設定部１０８は、自機（携帯端末装置１００）が有する機能のいずれかにセキュリティロックを設定する。そして、本実施形態のパターン記憶部１０６は、セキュリティロック設定部１０８によりセキュリティロックを設定された機能を、登録パターンに対応付けて記憶する。また、本実施形態の機能起動部１０２は、登録パターンに対応付けられている機能に設定されているセキュリティロックを解除し、当該機能を起動する。
【００６０】
なお、ここでいうセキュリティロックは、図７に示すファイル管理部１０３、メール作成部１０４、電話帳管理部１０５または通話部１０７の各々に設定することもできる。また、セキュリティロックは、上記列挙した種々の機能が扱う個別データ、例えばファイル管理部１０３が管理するファイル単位やファイルを格納するフォルダ単位に設定してもよいし、電話帳管理部１０５が管理する電話帳情報ごとに設定してもよい。
【００６１】
また、セキュリティロックは、図１に示す構成要素の各々に設定することもできる。
【００６２】
図８は、第２の実施形態に係る携帯端末装置１００（パターン記憶部１０６）に記憶される登録パターンと機能と順序指定情報と入力条件情報との例を示す図である。なお、ここで示される登録パターンは、図２（Ｂ）のタッチパネル１９を例としたものである。
【００６３】
例えば、セグメント領域Ｂ１、Ｂ４、Ｂ５、Ｂ８、Ｂ９からなるＮｏ．１の登録パターンには、セグメント領域Ｂ１を入力の開始位置として指定する順序指定情報と、キーパネル２０に含まれる特定のキーを押下することを条件とする入力条件情報と、フォルダＦを開示する機能と、が対応付けられている。セグメント領域Ｂ１〜Ｂ９からなるＮｏ．２の登録パターンには、Ｂ１→Ｂ２→Ｂ３→Ｂ６→Ｂ５→Ｂ４→Ｂ７→Ｂ８→Ｂ９の順序で入力することを指定する順序指定情報と、メール作成機能の起動中であることを条件とする入力条件情報と、「obaba@obaba.ne.jp」が宛先に入った状態で新規メールを作成する機能と、が対応付けられている。セグメント領域Ｂ１〜Ｂ９からなるＮｏ．３の登録パターンには、Ｂ５→Ｂ６→Ｂ３→Ｂ２→Ｂ１→Ｂ４→Ｂ７→Ｂ８→Ｂ９の順序で入力することを指定する順序指定情報と、通話中であることを条件する入力条件情報と、スピーカの出力音量（通話音量）を下げる機能と、が対応付けられている。
【００６４】
ここで、メール作成機能の起動中とは、図７のメール作成部１０４が図１の表示制御部２１にメール作成画面を伝送し表示部２２に表示させている状態である。また、通話中とは、図７の通話部１０７が図１の通信部２３とアンテナ部２４とを介して他の電話機（図示せず）と通話接続している状態である。
【００６５】
Ｎｏ．２の登録パターンとＮｏ．３の登録パターンは構成するセグメント領域は同じであるが、対応付けられている入力条件情報と順序指定情報とが異なるので、携帯端末装置１００は異なる登録パターンとして認識し、パターン記憶部１０６に個別に記憶することができる。
【００６６】
本実施形態のパターン認識部１０１は、入力パターンを認識し、当該入力パターンを構成するセグメント領域を認識した順序を示す認識順序情報を生成する。また、本実施形態のパターン認識部１０１は、自機（携帯端末装置１００）が入力条件情報によって示される条件を満たすとき、入力パターンを認識する。
【００６７】
なお、パターン認識部１０１は、入力条件情報が示す条件を満たした後、ユーザがタッチパネル１９に接触したとき、入力パターンの入力開始と認識してもよい。
【００６８】
そして、パターン認識部１０１は、入力パターンの入力が開始した後に、ユーザのタッチパネル１９への接触が離れたとき、入力パターンの入力終了と認識してもよい。または、パターン認識部１０１は、入力パターンの入力が開始した後に、入力条件情報が示す条件を満たさなくなったとき、入力パターンの入力終了と認識してもよい。
【００６９】
本実施形態の機能起動部１０２は、パターン認識部１０１により認識された入力パターンと、パターン記憶部１０６に記憶されている登録パターンと、を比較して一致しており、かつ入力パターンと比較して一致する登録パターンに対応付けられた順序指定情報によって指定されるセグメント領域の順序と、パターン認識部１０１により生成された認識順序情報が示す当該セグメント領域の順序と、を比較して一致するとき、当該登録パターンに対応付けられている機能を起動する。
【００７０】
なお、入力パターンと比較して一致する登録パターンに対応付けられた順序指定情報によって指定されるセグメント領域の順序と、パターン認識部１０１により生成された認識順序情報が示す当該セグメント領域の順序と、を比較して一致しないとき、図１の表示制御部２１は表示部２２にエラーメッセージを表示出力させてもよいし、図１の音声出力部１５はスピーカ１４からエラーメッセージを音声出力させてもよい。
【００７１】
本実施形態において機能起動部１０２が登録パターンに対応する機能を起動する方法は、第１の実施形態と同様である。
【００７２】
図９は、第２の実施形態に係る携帯端末装置１００の制御方法を示すフローチャートである。本実施形態の制御方法は、携帯端末装置１００が入力条件情報によって示される条件を満たすとき（ステップＴ１のＹＥＳ）、ユーザが連続的に接触した複数のセグメント領域を入力パターンとして認識するパターン認識ステップ（ステップＴ２）を備える。また、パターン認識ステップ（ステップＴ２）では、入力パターンを認識し、当該入力パターンを構成するセグメント領域を認識した順序を示す認識順序情報を生成する。ただし、携帯端末装置１００が入力条件情報によって示される条件を満たさないとき（ステップＴ１のＮＯ）、上記条件が満たされるまで待機状態となる。
【００７３】
本実施形態の制御方法は、パターン認識ステップ（ステップＴ２）で認識された入力パターンと、パターン記憶ステップ（ステップＴ８）で記憶された登録パターンと、を比較して一致しているとき（ステップＴ３のＹＥＳ）、かつ入力パターンと比較して一致する登録パターンに対応付けられた順序指定情報によって指定されるセグメント領域の順序と、パターン認識ステップ（ステップＴ２）で生成された認識順序情報が示す当該セグメント領域の順序と、を比較して一致するとき（ステップＴ４のＹＥＳ）、当該登録パターンに対応付けられている機能を起動する機能起動ステップ（ステップＴ５）を備える。
【００７４】
ただし、パターン認識ステップ（ステップＴ２）で認識された入力パターンと、パターン記憶ステップ（ステップＴ８）で記憶された登録パターンと、を比較して一致しないとき（ステップＴ３のＮＯ）、本実施形態の制御方法は以下のステップを実行する。まず、機能選択ステップ（ステップＴ６）では、自機（携帯端末装置１００）が有する機能のいずれかをユーザの操作入力に応じて選択する。そして、セキュリティロック設定ステップ（ステップＴ７）では、機能選択ステップ（ステップＴ６）で選択された機能にセキュリティロックを設定する。さらに、パターン記憶ステップ（ステップＴ８）では、ステップＴ３で比較して一致しなかった入力パターンを登録パターンとして、セキュリティロック設定ステップ（ステップＴ７）でセキュリティロックを設定された機能と対応付けて記憶する。
【００７５】
ここで、ステップＴ８で記憶される登録パターンに対応付けられる順序指定情報は、ステップＴ２で生成された認識順序情報であってもよい。なお、ステップＴ８で登録パターンを記憶すると、再び上記条件が満たされるまで待機状態となる。
【００７６】
また、入力パターンと比較して一致した登録パターンに対応付けられた順序指定情報によって指定されるセグメント領域の順序と、パターン認識ステップ（ステップＴ２）で生成された認識順序情報が示す当該セグメント領域の順序と、を比較して一致しないとき（ステップＴ４のＮＯ）、パターン記憶ステップ（ステップＴ８）では、パターン認識ステップ（ステップＴ２）で認識された入力パターンと、パターン認識ステップ（ステップＴ２）で生成された認識順序情報とを、それぞれ登録パターンと順序指定情報として対応付けて記憶する。
【００７７】
機能起動ステップ（ステップＴ５）では、登録パターンに対応付けられている機能に設定されているセキュリティロックを解除し、当該機能を起動する。そして、機能起動ステップ（ステップＳ５）で当該機能が起動されて、本実施形態の制御方法は終了となる。
【００７８】
ここで、本実施形態の効果について説明する。まず、本実施形態は、登録パターンと一致しない入力パターンを、新たな登録パターンとしてユーザ任意の機能と対応付けて記憶することができる。これにより、ユーザは任意の登録パターンを登録することができる。
【００７９】
また、本実施形態は、セキュリティロックが設定されている機能を登録パターンに対応付け、当該登録パターンと一致する入力パターンを受け付けた場合、当該機能に設定されているセキュリティロックを解除し、当該機能を起動する。通常、セキュリティロックが設定されている機能を起動する場合、暗証番号を入力する等の処理を行ってセキュリティロックを解除してから当該機能を起動する。しかし、本実施形態においては、複雑かつユーザのみに記憶できる秘匿性の高い登録パターンを登録することは比較的容易であるため、ユーザが登録パターンと一致する入力パターンを入力する操作をセキュリティロックの解除操作と代えてもセキュリティ上問題はない。これにより、セキュリティロック解除操作をしてから機能起動操作するという２ステップの操作が１ステップの操作になるので、操作入力によるユーザの負担軽減や操作性の向上といった効果がある。
【００８０】
また、登録パターンそれぞれに入力順序を定めることができるので、より秘匿性の高い登録パターンとすることができる。例えば、ユーザが記憶しやすい文字や記号等の形状を模した登録パターンを登録した場合、あえてその入力順序を正規の書き順とは逆にする等によってユーザ以外の者が入力しづらい登録パターンとすることが可能である。
【００８１】
さらに、登録パターンそれぞれに入力条件を定めることができるので、ユーザが意図しないタイミングで機能を起動させてしまうことを防ぐことができる。
【００８２】
以上、図面を参照して本発明の実施形態について述べたが、これらは本発明の例示であり、上記以外の様々な構成を採用することもできる。
【００８３】
例えば、図３や図７に図示される、ＣＰＵ１０がＲＯＭ１１から読み出したプログラムを実行することにより実現される種々のソフトウェア機能は、各々を固有のハードウェア回路として実現してもよいし、ソフトウェアとハードウェアとの組み合わせとして実現してもよい。
【００８４】
また、図１においてバス２５に接続される構成要素は本発明の実施形態の一例であり、その一部がなくてもよいし、他の構成要素がバス２５に接続されてもよい。例えば、動画や静止画等の画像を撮像可能なカメラがバス２５に接続されてもよいし、テレビ放送波を受信するテレビアンテナと受信するテレビ放送波を選局するチューナとがバス２５に接続されてもよい。このとき、携帯端末装置１００はカメラ機能やテレビ機能を有してもよい。
【００８５】
さらに、図２においてセグメント領域の外郭を三角形や四角形で図示したが、その形状はこれらに限らなくてもよい。
【００８６】
さらに、図９において、機能選択ステップ（ステップＴ６）の処理の後に、セキュリティロック設定ステップ（ステップＴ７）では、ステップＴ６で選択された機能にセキュリティロックを設定するように説明したが、セキュリティロックを設定するタイミングはこれに限らない。
【００８７】
例えば、予め携帯端末装置が有する機能のいずれかにセキュリティロックを設定し、機能選択ステップでセキュリティロックが設定されている機能を選択したとき、パターン記憶ステップでは、比較して一致しなかった入力パターンを登録パターンとして、機能選択ステップで選択された機能と対応付けて記憶してもよい。
【００８８】
さらに、図９において、ステップＴ３のＮＯであるとき、またはステップＴ４のＮＯであるとき、ステップＴ２で認識された入力パターンと、ステップＴ２で生成された認識順序情報と、を登録パターンおよび順序指定情報としてステップＴ８で対応づけて記憶することを図示した。このとき、ステップＴ８で登録パターンおよび順序指定情報を対応づけて記憶するか否かをユーザが任意で選択するステップを設けてもよい。
【００８９】
なお、当然ながら、上述した実施の形態および複数の変形例は、その内容が相反しない範囲で組み合わせることができる。また、上述した実施の形態および変形例では、各構成要素の機能などを具体的に説明したが、その機能などは本願発明を満足する範囲で各種に変更することができる。
【００９０】
また、本発明の携帯端末装置の制御方法には複数のステップを順番に記載してあるが、その記載の順番は複数のステップを実行する順番を限定するものではない。このため、本発明の携帯端末装置の制御方法を実行するときには、その複数のステップの順番は内容的に支障しない範囲で変更することができる。
【００９１】
この出願は、２００９年５月１８日に出願された日本出願特願２００９−１１９９５９号を基礎とする優先権を主張し、その開示の全てをここに取り込む。
【図１】
2010134269.tif 000003
【図２】
2010134269.tif 000004
【図３】
2010134269.tif 000005
【図４】
2010134269.tif 000006
【図５】
2010134269.tif 000007
【図６】
2010134269.tif 000008
【図７】
2010134269.tif 000009
【図８】
2010134269.tif 000010
【図９】
2010134269.tif 000011
【手続補正書】
【提出日】平成23年11月18日(2011.11.18)
【手続補正２】
【補正対象書類名】明細書
【補正対象項目名】０００１
【補正方法】変更
【補正の内容】
【０００１】
本発明は、携帯端末装置、携帯端末装置の制御方法およびプログラムに関する。
【手続補正３】
【補正対象書類名】明細書
【補正対象項目名】００１０
【補正方法】変更
【補正の内容】
【００１０】
さらに、本発明によれば、コンピュータが読み込み可能な記憶媒体に格納されるプログラムであって、複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶処理と、ユーザが連続的に接触した複数の前記セグメント領域を入力パターンとして認識するパターン認識処理と、前記パターン認識処理で認識された前記入力パターンと、前記パターン記憶処理で記憶された前記登録パターンと、を比較して一致しているとき、当該登録パターンに対応付けられている前記機能を起動する機能起動処理と、を前記コンピュータに実行させるプログラムが提供される。
【手続補正４】
【補正対象書類名】特許請求の範囲
【補正対象項目名】全文
【補正方法】変更
【補正の内容】
【特許請求の範囲】
【請求項１】
複数のセグメント領域のうち、一のセグメント領域が少なくとも三以上の方向に対してそれぞれ異なる他のセグメント領域と隣接するタッチパネルと、
前記タッチパネルが有する前記セグメント領域のうち、隣接する複数の前記セグメント領域からなる登録パターンに、自機が有する機能のいずれかを対応付けて記憶するパターン記憶手段と、
ユーザが連続的に接触した複数の前記セグメント領域を入力パターンとして認識するパターン認識手段と、
前記パターン認識手段により認識された前記入力パターンと、前記パターン記憶手段に記憶されている前記登録パターンと、を比較して一致しているとき、当該登録パターンに対応付けられている前記機能を起動する機能起動手段と、
を備える携帯端末装置。
【請求項２】
請求項１に記載の携帯端末装置において、
前記タッチパネルが有する前記セグメント領域の一部または全部が、少なくとも三以上の方向に対してそれぞれ異なる他のセグメント領域と隣接することを特徴とする携帯端末装置。
【請求項３】
請求項１または２に記載の携帯端末装置において、
前記自機が有する前記機能のいずれかの起動を抑制するセキュリティロックを設定するセキュリティロック設定手段を備え、
前記パターン記憶手段は、前記セキュリティロック設定手段により前記セキュリティロックを設定された前記機能を、前記登録パターンに対応付けて記憶し、
前記機能起動手段は、前記登録パターンに対応付けられている前記機能に設定されている前記セキュリティロックを解除し、当該機能を起動することを特徴とする携帯端末装置。
【請求項４】
請求項１乃至３いずれかに記載の携帯端末装置において、
前記パターン記憶手段は、前記登録パターンを構成する前記セグメント領域の少なくとも一つの順序を指定する順序指定情報を、当該登録パターンに対応付けて記憶し、
前記パターン認識手段は、前記入力パターンを認識し、当該入力パターンを構成する前記セグメント領域を認識した順序を示す認識順序情報を生成し、
前記機能起動手段は、前記入力パターンと比較して一致する前記登録パターンに対応付けられた前記順序指定情報によって指定される前記セグメント領域の順序と、前記パターン認識手段により生成された前記認識順序情報が示す当該セグメント領域の順序と、を比較して一致するとき、当該登録パターンに対応付けられている前記機能を起動することを特徴とする携帯端末装置。
【請求項５】
請求項１乃至４いずれかに記載の携帯端末装置において、
前記機能起動手段が前記パターン認識手段により認識された前記入力パターンと、前記パターン記憶手段に記憶されている前記登録パターンと、を比較して一致しないとき、前記自機が有する前記機能のいずれかを前記ユーザの操作入力に応じて選択する機能選択手段を備え、
前記パターン記憶手段は、前記機能選択手段により選択された前記機能に、当該入力パターンを前記登録パターンとして対応付けて記憶することを特徴とする携帯端末装置。
【請求項６】
請求項１乃至５いずれかに記載の携帯端末装置において、
前記パターン記憶手段は、前記入力パターンを受け付ける条件を示す入力条件情報を、前記登録パターンに対応付けて記憶し、
前記パターン認識手段は、前記自機が前記入力条件情報によって示される条件を満たすとき、前記入力パターンを認識することを特徴とする携帯端末装置。
【請求項７】
複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶ステップと、
ユーザが連続的に接触した複数の前記セグメント領域を入力パターンとして認識するパターン認識ステップと、
前記パターン認識ステップで認識された前記入力パターンと、前記パターン記憶ステップで記憶された前記登録パターンと、を比較して一致しているとき、当該登録パターンに対応付けられている前記機能を起動する機能起動ステップと、
を備える携帯端末装置の制御方法。
【請求項８】
コンピュータが読み込み可能な記憶媒体に格納されるプログラムであって、
複数のセグメント領域のうち、一のセグメント領域が少なくとも三以上の方向に対してそれぞれ異なる他のセグメント領域と隣接するタッチパネル上で、隣接する複数の前記セグメント領域からなる登録パターンに、自機が有する機能のいずれかを対応付けて記憶するパターン記憶処理と、
ユーザが連続的に接触した複数の前記セグメント領域を入力パターンとして認識するパターン認識処理と、
前記パターン認識処理で認識された前記入力パターンと、前記パターン記憶処理で記憶された前記登録パターンと、を比較して一致しているとき、当該登録パターンに対応付けられている前記機能を起動する機能起動処理と、
を前記コンピュータに実行させるプログラム。
【国際調査報告】
2010134269.tif 000012
2010134269.tif 000013